(57)【要約】【課題】  より低騒音性に優れた送風機を提供すること。【解決手段】  送風機は、電動機３およびこの電動機３の回転軸に直結された羽根車４をケーシング１１により包囲し、ケーシング１１の外周部に吸音材７を設けて構成されている。吸音材７は、繊維を圧縮した素材を使用し、その圧縮した繊維の向きがケーシング１１の周方向に対して直交する方向となるように配置されており、電動機３および羽根車４から発生した騒音が吸音材７を通過する際に、絡みあった繊維により吸音材７の内部で乱反射して減衰されることにより、ケーシング１１外部に漏出する騒音を低減するようになっている。【選択図】  図１
2005120831.tif 000002
【特許請求の範囲】
【請求項１】
電動機と、この電動機の回転軸に直結された送風用の羽根車と、この羽根車および前記電動機を包囲するケーシングと、このケーシングの外周部に設けられた吸音材とを備え、前記吸音材は繊維を圧縮した素材からなり、その圧縮した繊維の向きが前記ケーシングの周方向に対してほぼ直交する方向となるように配設されていることを特徴とする送風機。
【請求項２】
前記吸音材は、繊維を圧縮した素材を所定の大きさのブロックに切断し、その切断した複数個のブロックをそれぞれ繊維の向きが前記ケーシングの周方向に対して直交する方向となるように並べて配置して構成したことを特徴とする請求項１に記載の送風機。
【発明の詳細な説明】
【技術分野】
【０００１】
本発明は、空調設備などに設置されて送風・排風を行なう送風機に関する。
【背景技術】
【０００２】
従来の送風機の構造について図面を参照して説明する。
【０００３】
図２は従来構造の送風機を示し、同図（ａ）はその正面図、同図（ｂ）はその側面断面図である。１は筒状をなすケーシングで、このケーシング１の内側に、周方向に分散された複数本の電動機支え脚２を介して電動機３が支持されている。電動機３の回転軸には羽根車４が直接取付けられ、電動機３の駆動によって回転され軸方向に送風するようになっている。
【０００４】
ケーシング１の外周部は、内周側が多数の孔を有するパンチングメタル１ａにより構成され、このパンチングメタル１ａの軸方向両端部にフランジ１ｂ，１ｂが取付けられ、また外周面にフランジ１ｂ，１ｂ間および周方向を複数に区画する補強用のリブ１ｃが取付けられ、これらフランジ１ｂおよびリブ１ｃの外周側にカバー１ｄが取付けられて構成されている。
【０００５】
パンチングメタル１ａとカバー１ｄとの間には、パンチングメタル１ａ側にガラスクロス５が貼り付けられ、その外側に吸音材６が配設されている。吸音材６は、例えばガラス繊維を圧縮して成形したマット状の素材を所定の大きさに切断して、区画された各空間に収納して配設されている。
【発明の開示】
【発明が解決しようとする課題】
【０００６】
上記した従来構造の送風機において、電動機３および羽根車４を包囲しているケーシング１の外周部に吸音材６を配設していることにより、騒音を低減する構造になっているが、近年の環境問題により、更に騒音の低減化要求があり、従来構造の送風機では満足できないという課題があった。
【０００７】
本発明は上記事情に鑑みてなされたもので、その目的は、より低騒音性に優れた送風機を提供することにある。
【課題を解決するための手段】
【０００８】
上記の課題を解決するため、本発明は電動機およびこの電動機の回転軸に直結されて送風に供する羽根車を包囲するケーシングの外周部に吸音材を設けたものにおいて、吸音材を、繊維を圧縮した素材を使用し、その圧縮した繊維の向きがケーシングの周方向に対して直交する方向となるように配設した送風機にある。
【０００９】
この場合、吸音材は、繊維を圧縮した素材を所定の大きさのブロックに切断し、その切断した複数個のブロックをそれぞれ繊維の向きがケーシングの周方向に対して直交する方向となるように並べて配置して構成することができる。
【発明の効果】
【００１０】
本発明によれば、電動機および羽根車から発生した騒音が吸音材を通過する際に、絡み合った繊維により吸音材の内部で乱反射して減衰されることにより、ケーシング外部に漏出する騒音を一層低減することができる。
【発明を実施するための最良の形態】
【００１１】
以下、本発明の実施の形態を説明する。図１は本発明の一実施の形態にかかる送風機を示し、同図（ａ）はその正面図、同図（ｂ）はその主要部を拡大して示す側面断面図である。従来と同一部分には同一符号を付してある。
【００１２】
図１に示すように、本実施の形態における送風機は、電動機３、送風に供する羽根車４およびケーシング１１を備えている。羽根車４は電動機３の回転軸に直結され、電動機３は電動機支え脚２を介して両端面が開口した筒状のケーシング１１に取付けられている。電動機３および羽根車４を包囲するケーシング１１は、外周部の内周側が多数の孔を有するパンチングメタル１１ａにより構成され、このパンチングメタル１１ａの軸方向両端部にフランジ１１ｂが取付けられ、また外周面に複数個の補強用のリブ１１ｃが取付けられ、これらフランジ１１ｂおよびリブ１１ｃの外周に円筒状のカバー１１ｄが取付けられて構成されている。
【００１３】
パンチングメタル１１ａとカバー１１ｄとの間の区画された空間には、それぞれパンチングメタル１１ａ側にガラスクロス５が貼り付けられ、その外側にケーシングのほぼ全長にわたって吸音材７が配設されている。
【００１４】
吸音材７は、例えば綿状に絡み合ったガラス繊維を圧縮して成形したマット状の素材（例えば株式会社マグ社製  商品名マグボードとして市販されている吸音材）を所定の大きさのブッロク７ａに切断し、その切断した複数個のブロック７ａをそれぞれ繊維の向きがケーシング１１の周方向に対して直交する方向となるように並べて配置して、区画された各空間を埋めるように配設されている。すなわちケーシングの内方から外方にかけて繊維の長手方向が揃うことになる。
【００１５】
この構成により、電動機３および羽根車４から発生した騒音は、吸音材７を通過する際に、絡み合った繊維により吸音材７の内部で乱反射して減衰され、また繊維間の隙間を透過する騒音が激減して、ケーシング１１外部に漏出する騒音を一層低減することができる。本発明者らの実験によれば、本実施の形態による送風機の騒音は、図２に示す従来の送風機の騒音よりも１ｄＢ（Ａ）以上、低減できることが確認できた。これにより本実施の形態によれば、より低騒音性に優れた送風機を構成することができる。
【００１６】
また吸音材７は、市販されている繊維束をそろえて集積させた吸音材、例えば獣毛や合成繊維、金属繊維、ロックウール（岩綿）、またグラスウール（ガラス短繊維）を圧縮してマット状に成形した素材を用いることができる。繊維が横になった状態のマット状素材を所定の大きさのブロック７ａに切断し、各ブロック７ａを、その圧縮された繊維の向きがケーシング１１の周方向に直交するように９０°回転させた状態で、パンチングメタル１１ａの外周の区画された空間に並べて配設する、という簡単な作業で構成することができ、高価な材料の使用や特殊な組立作業を伴うことなく、より低騒音の送風機を構成することができる。
【図面の簡単な説明】
【００１７】
【図１】本発明の一実施の形態にかかる送風機を示し、同図（ａ）はその正面図、同図（ｂ）はその主要部を拡大して示す側面断面図である。
【図２】従来構造の送風機を示し、同図（ａ）はその正面図、同図（ｂ）はその側面断面図である。
【符号の説明】
【００１８】
１，１１…ケーシング
１ａ，１１ａ…パンチングメタル
１ｂ，１１ｂ…フランジ
１ｃ，１１ｃ…リブ
１ｄ，１１ｄ…カバー
２…電動機支え脚
３…電動機
４…羽根車
５…ガラスクロス
６，７…吸音材
７ａ…ブロック
【図１】
2005120831.tif 000003
【図２】
2005120831.tif 000004